(57)【要約】【課題】用紙を円滑に搬送することが可能な搬送装置及び記録装置を提供する。【解決手段】搬送装置は、用紙Ｐ１を下流側に搬送する搬送ローラー２５と、搬送ローラー２５よりも上流側に配置され、搬送ローラー２５よりも遅い搬送速度で用紙Ｐ１を搬送ローラー２５に搬送する搬送ユニット１８とを備える。搬送ユニット１８は、揺動部材４１と、揺動部材４１に支持された駆動ローラー４３と、駆動ローラー４３と対向配置された従動ローラー４４とを備える。駆動ローラー４３は、揺動部材４１の揺動に伴い、用紙Ｐ１を従動ローラー４４とで挟持する挟持位置と、挟持しない非挟持位置との間で移動可能に構成される。揺動部材４１は、駆動ローラー４３を介して用紙Ｐ１からの反力を受けて駆動ローラー４３を挟持位置に保持するとともに、反力を受けなくなった場合に駆動ローラー４３が挟持位置から非挟持位置に移動されるように、揺動する。【選択図】図４
2012232835.tif 000002
【特許請求の範囲】
【請求項１】
記録媒体の搬送経路の途中位置に配置され、前記記録媒体を挟持しながら回転することで当該記録媒体を前記搬送経路の下流側に搬送する搬送ローラーと、
前記搬送経路における前記搬送ローラーよりも上流側に配置され、前記搬送ローラーによる前記記録媒体の搬送速度よりも遅い搬送速度で前記記録媒体を前記搬送ローラーに搬送する搬送ユニットと
を備え、
前記搬送ユニットは、
前記搬送経路の一部を形成し、揺動可能に構成された揺動部材と、
前記揺動部材に回転可能に支持された駆動ローラーと、
前記搬送経路を挟んで前記駆動ローラーと対向するように回転可能に配置された従動ローラーと
を備え、
前記駆動ローラーは、前記揺動部材の揺動に伴い、前記搬送経路の上流側から搬送される前記記録媒体を前記従動ローラーとで挟持する挟持位置と、当該記録媒体を前記従動ローラーとで挟持しない非挟持位置との間で移動可能に構成され、
前記揺動部材は、前記駆動ローラーが前記挟持位置で回転駆動されることによって前記記録媒体を搬送する際の当該記録媒体からの反力を受けることにより、前記駆動ローラーを前記挟持位置に保持するとともに、前記記録媒体からの反力を受けなくなった場合に前記駆動ローラーが前記挟持位置から前記非挟持位置に移動されるように、揺動することを特徴とする搬送装置。
【請求項２】
複数の前記記録媒体を積層状態で収容する収容部と、
前記収容部に収容された各記録媒体のうちの最外層のものと接触した状態で回転することによって前記各記録媒体を最外層のものから順次に前記搬送ユニットへ当該搬送ユニットの搬送速度よりも遅い速度で送り出す送出ローラーと
を備え、
前記揺動部材は、前記送出ローラーによって送り出される前記記録媒体からの押圧力を受けることにより、前記駆動ローラーが前記非挟持位置から前記挟持位置へ移動されて当該挟持位置で保持されるように、揺動することを特徴とする請求項１に記載の搬送装置。
【請求項３】
前記駆動ローラーが前記挟持位置から前記非挟持位置へ移動される方向に前記揺動部材を付勢する付勢手段を備え、
前記付勢手段の付勢力は、前記揺動部材が前記記録媒体から受ける前記反力よりも弱く、且つ前記揺動部材が前記記録媒体から受ける前記押圧力よりも弱いことを特徴とする請求項２に記載の搬送装置。
【請求項４】
前記揺動部材は、前記送出ローラーによって送り出される前記記録媒体を前記駆動ローラーに導く案内面を備えていることを特徴とする請求項２または請求項３に記載の搬送装置。
【請求項５】
請求項１〜請求項４のうちいずれか一項に記載の搬送装置と、
該搬送装置によって搬送される前記記録媒体に記録処理を施す記録手段と
を備えたことを特徴とする記録装置。
【発明の詳細な説明】
【技術分野】
【０００１】
本発明は、例えばインクジェット式プリンターなどの記録装置、及び該記録装置に備えられる搬送装置に関する。
【背景技術】
【０００２】
従来から、記録装置の一種として、記録ヘッドのノズルから用紙に対してインクを噴射して印刷を行うインクジェット式プリンターが知られている。こうしたプリンターの中には、用紙カセット（収容部）内に積層状態で収容された複数の用紙（記録媒体）を、給送ローラー（送出ローラー）によって１枚ずつ送り出して、反転ローラー（駆動ローラー）と中間ローラー（従動ローラー）とで挟持しながら当該用紙の搬送経路の下流側へ搬送した後、搬送駆動ローラー（搬送ローラー）と搬送従動ローラー（搬送ローラー）とで挟持しながら当該搬送経路の下流側に配置されたインクジェット記録ヘッド（記録手段）まで搬送するものがある（例えば、特許文献１）。
【０００３】
この特許文献１のプリンターでは、給送ローラーによって送り出された用紙が、分離斜面に沿って上方に導かれ、給送ローラーよりも上方に位置する反転ローラーにより、その表裏が反転される。そして、この反転された用紙は、略水平な姿勢を保った状態で、中間ローラーと反転ローラー、及び搬送駆動ローラーと搬送従動ローラーによりそれぞれ挟持されながら搬送経路に沿って下流側に搬送されることで、インクジェット記録ヘッドによる印刷がなされる。
【先行技術文献】
【特許文献】
【０００４】
【特許文献１】特開２０１０−２４１５３５号公報
【発明の概要】
【発明が解決しようとする課題】
【０００５】
ところで、特許文献１のプリンターでは、通常、印刷のスループットを向上させるべく、反転ローラーと中間ローラーとによる用紙の搬送速度よりも搬送駆動ローラーと搬送従動ローラーとによる用紙の搬送速度の方が若干速くなっている。このため、反転ローラーと中間ローラーとによって搬送された用紙の先端部が搬送駆動ローラー及び搬送従動ローラーまで到達すると、搬送駆動ローラーと搬送従動ローラーとによる当該用紙の搬送が、反転ローラーと中間ローラーとによる当該用紙の挟持によって妨げられてしまうおそれがある。この結果、搬送駆動ローラーと搬送従動ローラーとによって用紙が円滑に搬送されなくなってしまい、ひいてはインクジェット記録ヘッドによる用紙の印刷精度の低下を招くおそれがあるという問題がある。
【０００６】
本発明は、このような従来技術に存在する問題点に着目してなされたものである。その目的とするところは、用紙を円滑に搬送することが可能な搬送装置及び記録装置を提供することにある。
【課題を解決するための手段】
【０００７】
上記目的を達成するために、本発明の搬送装置は、記録媒体の搬送経路の途中位置に配置され、前記記録媒体を挟持しながら回転することで当該記録媒体を前記搬送経路の下流側に搬送する搬送ローラーと、前記搬送経路における前記搬送ローラーよりも上流側に配置され、前記搬送ローラーによる前記記録媒体の搬送速度よりも遅い搬送速度で前記記録媒体を前記搬送ローラーに搬送する搬送ユニットとを備え、前記搬送ユニットは、前記搬送経路の一部を形成し、揺動可能に構成された揺動部材と、前記揺動部材に回転可能に支持された駆動ローラーと、前記搬送経路を挟んで前記駆動ローラーと対向するように回転可能に配置された従動ローラーとを備え、前記駆動ローラーは、前記揺動部材の揺動に伴い、前記搬送経路の上流側から搬送される前記記録媒体を前記従動ローラーとで挟持する挟持位置と、当該記録媒体を前記従動ローラーとで挟持しない非挟持位置との間で移動可能に構成され、前記揺動部材は、前記駆動ローラーが前記挟持位置で回転駆動されることによって前記記録媒体を搬送する際の当該記録媒体からの反力を受けることにより、前記駆動ローラーを前記挟持位置に保持するとともに、前記記録媒体からの反力を受けなくなった場合に前記駆動ローラーが前記挟持位置から前記非挟持位置に移動されるように、揺動する。
【０００８】
この発明によれば、揺動部材は、駆動ローラーが挟持位置で回転駆動されることによって記録媒体を搬送している間は当該記録媒体からの反力を受けるため、駆動ローラーを挟持位置に保持する。そして、駆動ローラーによって搬送されている記録媒体の先端部が搬送ローラーに達した後には、当該記録媒体が駆動ローラーよりも記録媒体の搬送速度が速い搬送ローラーによって搬送されるため、揺動部材が記録媒体からの反力を受けなくなって、駆動ローラーが挟持位置から非挟持位置に移動されるように、揺動部材が揺動する。すなわち、搬送ローラーが記録媒体を搬送する際には、駆動ローラーと従動ローラーとによる当該記録媒体の挟持状態が解除されるため、搬送ローラーによる記録媒体の搬送が、駆動ローラーと従動ローラーとによって妨げられることが抑制される。したがって、記録媒体を円滑に搬送することが可能となる。
【０００９】
本発明の搬送装置は、複数の前記記録媒体を積層状態で収容する収容部と、前記収容部に収容された各記録媒体のうちの最外層のものと接触した状態で回転することによって前記各記録媒体を最外層のものから順次に前記搬送ユニットへ当該搬送ユニットの搬送速度よりも遅い速度で送り出す送出ローラーとを備え、前記揺動部材は、前記送出ローラーによって送り出される前記記録媒体からの押圧力を受けることにより、前記駆動ローラーが前記非挟持位置から前記挟持位置へ移動されて当該挟持位置で保持されるように、揺動する。
【００１０】
この発明によれば、揺動部材を揺動させるための駆動源を別途必要とすることなく、送出ローラーによって送り出される記録媒体の押圧力を利用して、駆動ローラーが非挟持位置から挟持位置へ移動されて当該挟持位置で保持されるように、揺動部材を揺動させることが可能となる。
【００１１】
本発明の搬送装置は、前記駆動ローラーが前記挟持位置から前記非挟持位置へ移動される方向に前記揺動部材を付勢する付勢手段を備え、前記付勢手段の付勢力は、前記揺動部材が前記記録媒体から受ける前記反力よりも弱く、且つ前記揺動部材が前記記録媒体から受ける前記押圧力よりも弱い。
【００１２】
この発明によれば、駆動ローラーが記録媒体を搬送しないときには、駆動ローラーが挟持位置から非挟持位置へ移動されるように、揺動部材を付勢手段によって揺動することが可能となる。加えて、揺動部材が送出ローラーによって送り出される記録媒体からの押圧力を受けて駆動ローラーが非挟持位置から挟持位置へ移動するように揺動することと、駆動ローラーによる記録媒体の搬送時に当該記録媒体から受ける反力によって、駆動ローラーが挟持位置で保持されるように、揺動部材を保持することとが、付勢手段によって妨げられないようにすることが可能となる。
【００１３】
本発明の搬送装置において、前記揺動部材は、前記送出ローラーによって送り出される前記記録媒体を前記駆動ローラーに導く案内面を備えている。
この発明によれば、案内面により、送出ローラーによって送り出される記録媒体を円滑に駆動ローラーに導くことが可能となる。
【００１４】
本発明の記録装置は、上記構成の搬送装置と、該搬送装置によって搬送される前記記録媒体に記録処理を施す記録手段とを備えた。
この発明によれば、上記構成の搬送装置と同様の作用効果を得ることが可能となる。
【図面の簡単な説明】
【００１５】
【図１】実施形態のインクジェット式プリンターを示す断面模式図。
【図２】同プリンターにおいて、給紙ローラーによって送り出される用紙によって揺動部材が押圧されて、駆動ローラーが非挟持位置から挟持位置に移動したときの状態を示す断面模式図。
【図３】同プリンターにおいて、搬送ユニットによって用紙が搬送されるときの状態を示す断面模式図。
【図４】同プリンターにおいて、搬送ユニットによって搬送されている用紙の先端部が搬送ローラーに達したときの状態を示す断面模式図。
【図５】同プリンターにおいて、揺動部材が用紙から受ける反力を失って駆動ローラーが挟持位置から非挟持位置に移動したときの状態を示す断面模式図。
【発明を実施するための形態】
【００１６】
以下、本発明の記録装置をインクジェット式プリンターに具体化した一実施形態を図面に基づいて説明する。以下の説明において、「前後方向」、「上下方向」及び「左右方向」をいう場合は、各図中に矢印で示す前後方向、左右方向、上下方向をそれぞれ示すものとする。また、各図中の上方向、左方向及び前方向を示す矢印において、丸印の中に点が記載されたものは、紙面の裏から表に向かう矢印を意味するものとする。なお、上下方向は鉛直方向となっている。
【００１７】
図１に示すように、記録装置としてのインクジェット式プリンター１１は、略直方体状をなす本体ケース１２を備えている。本体ケース１２内における左右両端部には、一対のフレーム１３，１４が設けられている。この場合、各フレーム１３，１４のうち、左側に位置するものは左フレーム１３とされる一方、右側に位置するものは右フレーム１４とされている。
【００１８】
本体ケース１２の下端部には、複数の記録媒体としての用紙Ｐを積層状態で収容する有底矩形箱状をなす収容部としての用紙カセット１５が着脱自在に装着されている。本体ケース１２内における用紙カセット１５の上側には、該用紙カセット１５内に収容された各用紙Ｐを最上位（最外層）のものから１枚ずつ順次にそれらの搬送経路１６へ送り出すための送出ユニット１７が設けられている。
【００１９】
各用紙Ｐの搬送経路１６は、用紙カセット１５内の後端部から上昇しながら後側に膨らむように湾曲した後、前方に向かって真っ直ぐ水平に延びている。そして、搬送経路１６のうち、湾曲した部分は湾曲経路１６ａとされるとともに、真っ直ぐ水平に延びている部分は水平経路１６ｂとされている。用紙カセット１５内の後側面は、後方に向かって上昇するように傾斜した分離斜面１５ａになっている。
【００２０】
分離斜面１５ａは、送出ユニット１７により用紙カセット１５内に収容された各用紙Ｐを最上位のものから順次に搬送経路１６へ送り出す際に、各用紙Ｐのうちの最上位のものとそれ以外のものとを分離するようになっている。本体ケース１２内における用紙カセット１５よりも後側には、湾曲経路１６ａの一部を形成するとともに、送出ユニット１７により用紙カセット１５内から送り出された各用紙Ｐを下流側に搬送する搬送ユニット１８が配置されている。
【００２１】
水平経路１６ｂの途中位置における該水平経路１６ｂの上側には、キャリッジモーター（図示略）により、左右方向に往復移動可能に構成されたキャリッジ２１が設けられている。キャリッジ２１には、液体としてのインクが充填されたインクカートリッジ２２が着脱自在に装着されている。キャリッジ２１の下端部には、記録手段としての記録ヘッド２３が水平経路１６ｂと対向するように支持されている。記録ヘッド２３には、インクカートリッジ２２からインクが供給されるようになっている。そして、インクカートリッジ２２から記録ヘッド２３に供給されるインクは、該記録ヘッド２３が有する複数のノズル（図示略）から噴射可能になっている。
【００２２】
キャリッジ２１に対して水平経路１６ｂを挟んで対向する位置には、水平経路１６ｂを搬送される各用紙Ｐを支持する支持台２４が設けられている。そして、キャリッジ２１が左右方向に往復移動しながら支持台２４上を搬送される各用紙Ｐに対して記録ヘッド２３の各ノズル（図示略）からインクを噴射することで、該各用紙Ｐに対して記録処理としての印刷が行われるようになっている。
【００２３】
水平経路１６ｂにおける支持台２４と対応する位置よりも上流側の位置には、搬送ローラー２５が設けられている。搬送ローラー２５は、紙送モーター（図示略）によって回転駆動される紙送駆動ローラー２６と、該紙送駆動ローラー２６の回転駆動に伴って従動回転する紙送従動ローラー２７とを備えている。各ローラー２６，２７は、水平経路１６ｂを挟んで上下方向において隣接するように配置されている。
【００２４】
そして、紙送駆動ローラー２６の回転駆動により、各ローラー２６，２７が搬送ユニット１８から搬送される各用紙Ｐを挟持しながら回転することで、該各用紙Ｐが支持台２４上に搬送されるようになっている。
【００２５】
また、水平経路１６ｂにおける支持台２４と対応する位置よりも下流側の位置には、排紙モーター（図示略）によって回転駆動される排紙駆動ローラー２８と、該排紙駆動ローラー２８の回転駆動に伴って従動回転する排紙従動ローラー２９とが、水平経路１６ｂを挟んで上下方向において隣接するように配置されている。
【００２６】
そして、排紙駆動ローラー２８の回転駆動により、各ローラー２８，２９が支持台２４上で印刷された後の各用紙Ｐを挟持しながら回転することで、該各用紙Ｐが下流側に搬送されるようになっている。その後、これら印刷済みの各用紙Ｐは、本体ケース１２の前面に設けられた排紙トレイ（図示略）上に順次に排紙される。
【００２７】
図１に示すように、送出ユニット１７は、略直方体状をなすケース３０を備えている。ケース３０の右側面における前端部には、右端が右フレーム１４に回転可能に支持された左右方向に延びる円筒状の揺動軸３１の左端が連結されている。揺動軸３１は、ねじりコイルばね（図示略）により、左側から見て反時計方向に常に付勢されている。揺動軸３１内には、給紙モーター（図示略）によって、独立して回転駆動される回転軸３２が挿通された状態で、右フレーム１４に軸支されている。
【００２８】
ケース３０内の右端部には、該ケース３０の長手方向に沿って並んで配置された複数（本実施形態では６つ）の歯車からなる歯車輪列３３が設けられている。歯車輪列３３を構成する各歯車は、隣り合う歯車とそれぞれ噛合している。歯車輪列３３を構成する各歯車のうち、最も後端に位置するものは先端歯車３３ａとされる一方、最も前端に位置するものは基端歯車３３ｂとされている。歯車輪列３３を構成する各歯車のうち、先端歯車３３ａと基端歯車３３ｂとの間に位置する４つの歯車は、それぞれ中間歯車３３ｃとされている。
【００２９】
回転軸３２の左端部は、ケース３０を貫通して基端歯車３３ｂの中心に接続されている。各中間歯車３３ｃは、ケース３０内の右内側面にそれぞれ回転可能に軸支されている。先端歯車３３ａは、ケース３０内の左右の両内側面間に回転可能に架設された回転軸３４によって支持されている。
【００３０】
さらに、回転軸３４の中央部には、送出ローラーとしての給紙駆動ローラー３５が、該回転軸３４と一体回転するように設けられている。したがって、給紙モーター（図示略）によって回転軸３２が回転駆動されると、その回転力が歯車輪列３３及び回転軸３４を介して給紙駆動ローラー３５に伝達されて、該給紙駆動ローラー３５が回転駆動されるようになっている。なお、給紙駆動ローラー３５は、ケース３０の後端部（先端側）において露出している。
【００３１】
したがって、送出ユニット１７は、揺動軸３１の揺動に伴って、給紙駆動ローラー３５が用紙カセット１５内の各用紙Ｐのうちの最上位のものに対して接離方向に移動するように、揺動するようになっている。そして、送出ユニット１７は、揺動軸３１を付勢するねじりコイルばね（図示略）の付勢力により、常に、給紙駆動ローラー３５が用紙カセット１５内の各用紙Ｐのうちの最上位のものに対して当接した状態（図１に示す状態）で傾斜している。
【００３２】
搬送ユニット１８は、各フレーム１３，１４間に揺動可能に架設された左右方向に延びる揺動軸４０に一体に設けられた揺動部材４１と、該揺動部材４１に回転軸４２を介して回転可能に支持された駆動ローラー４３と、該駆動ローラー４３に対して湾曲経路１６ａを挟んで対向するように配置された従動ローラー４４とを備えている。
【００３３】
揺動部材４１は、左右方向に延びるとともに、左側から見て略Ｌ字状をなしている。揺動部材４１の左右方向の幅は、各用紙Ｐの左右方向の幅よりも広くなるように設定されている。揺動部材４１は、前面が後側に向かって膨らむ略円弧状の曲面になっている。さらに、揺動部材４１は、後面が鉛直面と平行になっているとともに、下面が水平面と平行になっている。そして、揺動部材４１は、前面、後面、及び下面が互いに外側に膨らむ円弧状の曲面を介してそれぞれ連続するように接続されている。
【００３４】
揺動部材４１の前面における上端部には、左右方向から見て半円状をなす凹部４５が形成されている。揺動部材４１における凹部４５を左右方向において挟む左右両側壁には、それぞれ軸受け部４６が設けられるとともに、該各軸受け部４６には左右方向に延びる回転軸４２が回転可能に支持されている。回転軸４２の長さは、揺動部材４１の左右方向の幅よりも長くなっている。回転軸４２には、駆動ローラー４３が該回転軸４２と一体回転可能に設けられている。
【００３５】
駆動ローラー４３は、半分が揺動部材４１の凹部４５内に収容されるとともに、もう半分が揺動部材４１の前面よりも前側に突出している。揺動部材４１の前面における駆動ローラー４３よりも下側の部分は、送出ユニット１７によって用紙カセット１５内から送り出される各用紙Ｐを駆動ローラー４３に導く案内面４７とされている。揺動軸４０は、揺動部材４１における上下方向の中央部であって凹部４５の後斜め下側に位置している。
【００３６】
また、揺動部材４１の後面における上端部、すなわち揺動部材４１の後面における揺動軸４０よりも上側には、一端が本体ケース１２内の後面に接続された付勢手段としての引っ張りコイルばね４８の他端が接続されている。また、駆動ローラー４３の前側に対向する位置には、各フレーム１３，１４間に回転可能に架設された左右方向に延びる回転軸４９を中心に回転する従動ローラー４４が配置されている。従動ローラー４４は、湾曲経路１６ａの一部を形成している。
【００３７】
また、引っ張りコイルばね４８の付勢力は、送出ユニット１７によって用紙カセット１５内から送り出される各用紙Ｐが案内面４７によって駆動ローラー４３に導かれる際に揺動部材４１が各用紙Ｐから受ける押圧力よりも弱くなるように設定されている。
【００３８】
したがって、用紙カセット１５内から送り出される各用紙Ｐが案内面４７に案内されて、該各用紙Ｐの先端部が駆動ローラー４３に達するときには、各用紙Ｐの押圧力により、引っ張りコイルばね４８の付勢力に抗して揺動部材４１が揺動軸４０を中心に左側から見て時計方向に揺動し、該各用紙Ｐの先端部が駆動ローラー４３と従動ローラー４４とで挟持されるようになっている。そして、駆動ローラー４３と従動ローラー４４とで各用紙Ｐが挟持されるときの駆動ローラー４３の位置は、挟持位置とされている。
【００３９】
また、回転軸４２における揺動部材４１から離間した右端部には、歯車（図示略）が設けられている。そして、駆動ローラー４３が挟持位置にあるときには、回転軸４２の歯車（図示略）が本体ケース１２内に配置された搬送モーター（図示略）の出力軸に設けられた歯車（図示略）と噛合することで、搬送モーター（図示略）の回転動力が各歯車（図示略）及び回転軸４２を介して駆動ローラー４３に伝達されるようになっている。
【００４０】
また、引っ張りコイルばね４８の付勢力は、駆動ローラー４３と従動ローラー４４とで各用紙Ｐが挟持されながら駆動ローラー４３が搬送モーター（図示略）によって回転駆動されることによって搬送されるときに揺動部材４１が駆動ローラー４３を介して各用紙Ｐから受ける反力よりも弱くなるように設定されている。
【００４１】
したがって、駆動ローラー４３と従動ローラー４４とで各用紙Ｐを挟持しながら搬送している間、すなわち、揺動部材４１が駆動ローラー４３を介して各用紙Ｐから反力を受けている間は、揺動部材４１が引っ張りコイルばね４８の付勢力に抗して駆動ローラー４３を挟持位置で保持するようになっている。
【００４２】
この場合、搬送経路１６における搬送ローラー２５よりも上流側に位置する搬送ユニット１８による各用紙Ｐの搬送速度、すなわち駆動ローラー４３と従動ローラー４４とによる各用紙Ｐの搬送速度は、搬送ローラー２５による各用紙Ｐの搬送速度よりも遅くなっているとともに、送出ユニット１７（給紙駆動ローラー３５）により用紙カセット１５内から各用紙Ｐが送り出される速度よりも速くなっている。
【００４３】
また、揺動部材４１は、各用紙Ｐから押圧力も駆動ローラー４３を介した反力も受けていない場合には、引っ張りコイルばね４８の付勢力により、駆動ローラー４３が従動ローラー４４とで各用紙Ｐを挟持しない位置である非挟持位置（駆動ローラー４３が従動ローラー４４から離間した位置）に揺動されるようになっている。すなわち、引っ張りコイルばね４８は、駆動ローラー４３が挟持位置から非挟持位置へ移動される方向に、揺動部材４１を常に付勢している。
【００４４】
したがって、駆動ローラー４３は、揺動部材４１の揺動に伴って、挟持位置と非挟持位置との間で移動されるようになっている。また、本体ケース１２内には、駆動ローラー４３が非挟持位置よりも後側へ移動しないように、揺動部材４１の図１における反時計方向への揺動を規制するためのストッパー（図示略）が配置されている。なお、本実施形態では、用紙カセット１５、送出ユニット１７、搬送ユニット１８、搬送ローラー２５、及び引っ張りコイルばね４８によって搬送装置が構成されている。
【００４５】
次に、インクジェット式プリンター１１の作用について説明する。
さて、給紙駆動ローラー３５が回転駆動されると、該給紙駆動ローラー３５により、用紙カセット１５内の各用紙Ｐのうちの最上位の用紙Ｐ１が湾曲経路１６ａに沿って揺動部材４１の案内面４７へ送り出される（給紙される）。すると、用紙Ｐ１は、後方に膨らむように案内面４７を後方に向かって押圧しながら駆動ローラー４３に向かって搬送される。そして、図２に示すように、用紙Ｐ１の先端部が駆動ローラー４３と従動ローラー４４との間に達するときには、用紙Ｐ１の押圧力により、引っ張りコイルばね４８の付勢力に抗して揺動部材４１が揺動して、駆動ローラー４３が非挟持位置から挟持位置に移動する。
【００４６】
このため、用紙Ｐ１の先端部が駆動ローラー４３と従動ローラー４４とで挟持された状態となる。このとき、駆動ローラー４３が用紙Ｐ１を下流側へ搬送する方向（図２では反時計方向）に回転駆動されるため、用紙Ｐ１は、駆動ローラー４３及び従動ローラー４４の回転に伴って下流側へ搬送される。すると、駆動ローラー４３は、用紙Ｐ１から、該用紙Ｐ１を下流側へ搬送する方向とは逆方向に回転する方向（図２では時計方向）の反力を受ける。
【００４７】
そして、この駆動ローラー４３が用紙Ｐ１から受けた反力は、揺動部材４１に対して揺動軸４０を中心に図２における時計方向に揺動する方向の力として作用するため、駆動ローラー４３が従動ローラー４４に対してさらに強く押し付けられる。すなわち、駆動ローラー４３と従動ローラー４４とによる用紙Ｐ１の挟持力が高められる。
【００４８】
そして、用紙Ｐ１が各ローラー４３，４４の回転によって搬送されるようになると、給紙駆動ローラー３５が用紙Ｐ１を下流側へ送り出す速度よりも各ローラー４３，４４が用紙Ｐ１を下流側へ搬送する速度の方が速いため、図３に示すように、用紙Ｐ１が案内面４７から離間する。このため、用紙Ｐ１によって案内面４７が押圧されなくなるが、引っ張りコイルばね４８の付勢力が揺動部材４１に作用する用紙Ｐ１の反力よりも弱いため、揺動部材４１は、揺動することなく駆動ローラー４３を挟持位置で保持する。
【００４９】
引き続き、用紙Ｐ１が各ローラー４３，４４の回転によって下流側へ搬送されて、図４に示すように、該用紙Ｐ１の先端部が各ローラー２６，２７（搬送ローラー２５）まで達すると、該用紙Ｐ１は、該各ローラー２６，２７によって挟持されながら支持台２４上に向かって搬送される。そして、用紙Ｐ１が各ローラー２６，２７によって搬送されるようになると、各ローラー４３，４４による用紙Ｐ１の搬送速度が各ローラー２６，２７による用紙Ｐ１の搬送速度よりも遅いため、用紙Ｐ１に対する各ローラー４３，４４の搬送力が失われる。
【００５０】
この結果、揺動部材４１が駆動ローラー４３を介して用紙Ｐ１から反力を受けなくなるため、図５に示すように、揺動部材４１は、引っ張りコイルばね４８の付勢力によって、駆動ローラー４３が挟持位置から非挟持位置へ移動するように、図５における反時計方向に揺動される。したがって、各ローラー２６，２７によって搬送される用紙Ｐ１の先端部が支持台２４上に到達するときには、用紙Ｐ１は各ローラー４３，４４から解放される（各ローラー４３，４４による用紙Ｐ１の挟持状態が解消される）。
【００５１】
このため、各ローラー４３，４４が、各ローラー２６，２７による用紙Ｐ１の搬送の妨げにならなくなるので、各ローラー２６，２７によって用紙Ｐ１が支持台２４上に円滑に安定して搬送される。そして、この支持台２４上に搬送された用紙Ｐ１には、キャリッジ２１を往復移動させながら記録ヘッド２３の各ノズル（図示略）からインクが噴射されて印刷がなされる。このとき、支持台２４上には、各ローラー２６，２７によって用紙Ｐ１が円滑に安定して搬送されるため、用紙Ｐ１の印刷が精度よく行われる。
【００５２】
印刷がなされた後の用紙Ｐ１は、各ローラー２８，２９によって挟持されながら支持台２４上から下流側へ搬送され、その後、排紙トレイ（図示略）上に排紙される。その後、給紙駆動ローラー３５により、用紙カセット１５内の各用紙Ｐのうちの次の最上位の用紙Ｐ１が湾曲経路１６ａに沿って下流側へ送り出されて、上述と同様に印刷が行われる。このようにして、用紙カセット１５内の各用紙Ｐの印刷が順次行われる。
【００５３】
以上、詳述した実施形態によれば以下の効果を得ることができる。
（１）搬送ローラー２５が用紙Ｐ１を支持台２４上に搬送する際には、各ローラー４３，４４による該用紙Ｐ１の挟持状態が解除される。このため、各ローラー４３，４４よりも用紙Ｐ１の搬送速度が速い搬送ローラー２５による用紙Ｐ１の搬送が、各ローラー４３，４４によって妨げられることを抑制することができる。したがって、用紙Ｐ１を、該用紙Ｐ１の印刷が行われる支持台２４上に沿って円滑に安定して搬送することができるので、用紙Ｐ１の印刷精度を高めることができる。
【００５４】
（２）揺動部材４１は、給紙駆動ローラー３５によって送り出される用紙Ｐ１からの押圧力を受けることにより、駆動ローラー４３が非挟持位置から挟持位置へ移動されて該挟持位置で保持されるように揺動される。このため、揺動部材４１を揺動させるための駆動源を別途必要とすることなく、給紙駆動ローラー３５によって送り出される用紙Ｐ１の押圧力を利用して、駆動ローラー４３が非挟持位置から挟持位置へ移動されて該挟持位置で保持されるように、該揺動部材４１を揺動させることができる。
【００５５】
（３）引っ張りコイルばね４８の付勢力は、駆動ローラー４３による用紙Ｐ１の搬送時に揺動部材４１が該用紙Ｐ１から受ける反力よりも弱く、且つ給紙駆動ローラー３５によって送り出される用紙Ｐ１から揺動部材４１が受ける押圧力よりも弱い。このため、駆動ローラー４３が用紙Ｐ１を搬送しないときには、該駆動ローラー４３が挟持位置から非挟持位置へ移動されるように、揺動部材４１を引っ張りコイルばね４８の付勢力によって揺動することができる。
【００５６】
加えて、揺動部材４１が給紙駆動ローラー３５によって送り出される用紙Ｐ１からの押圧力を受けて駆動ローラー４３が非挟持位置から挟持位置へ移動するように揺動することと、駆動ローラー４３による用紙Ｐ１の搬送時に、該用紙Ｐ１から受ける反力によって、駆動ローラー４３が挟持位置で保持されるように、揺動部材４１を保持することとが、引っ張りコイルばね４８によって妨げられないようにすることができる。
【００５７】
（４）揺動部材４１は、給紙駆動ローラー３５によって送り出される用紙Ｐ１を駆動ローラー４３に導く案内面４７を備えている。このため、案内面４７により、給紙駆動ローラー３５によって送り出される用紙Ｐ１を円滑に駆動ローラー４３に導くことができる。
（変更例）
なお、上記実施形態は以下のような別の実施形態に変更してもよい。
【００５８】
・引っ張りコイルばね４８の代わりに、付勢部材として、ゴムなどの弾性部材や、重りを付けた糸などを採用してもよい。重りを付けた糸を付勢部材として採用する場合には、重りの重さによって揺動部材４１における揺動軸４０よりも上側が糸を介して後側へ引っ張られるように構成される。あるいは、揺動部材４１における揺動軸４０よりも下側を後側に向かって付勢する圧縮ばねなどを付勢部材として採用してもよい。
【００５９】
・インクジェット式プリンター１１において、記録媒体は、プラスチックフィルム、布、金属箔などであってもよい。
・インクジェット式プリンター１１の代わりに、記録装置として、ファクシミリやコピー機などを採用してもよい。
【００６０】
・上記実施形態では、記録装置をインクジェット式プリンター１１に具体化したが、インク以外の他の液体を噴射したり吐出したりする液体噴射装置を採用してもよい。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサ等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【符号の説明】
【００６１】
１１…記録装置としてのインクジェット式プリンター、１５…搬送装置を構成する収容部としての用紙カセット、１６…搬送経路、１７…搬送装置を構成する送出ユニット、１８…搬送装置を構成する搬送ユニット、２３…記録手段としての記録ヘッド、２５…搬送装置を構成する搬送ローラー、３５…送出ローラーとしての給紙駆動ローラー、４１…揺動部材、４３…駆動ローラー、４４…従動ローラー、４７…案内面、４８…搬送装置を構成する付勢手段としての引っ張りコイルばね、Ｐ，Ｐ１…記録媒体としての用紙。
【図１】
2012232835.tif 000003
【図２】
2012232835.tif 000004
【図３】
2012232835.tif 000005
【図４】
2012232835.tif 000006
【図５】
2012232835.tif 000007